(57)【要約】【課題】  工場規模で実用化することができるもやしの新しい製造方法を提供する。【解決手段】  散水機３１による散水工程と、吸気用ファン４１及び排気用ファン４２による乾燥工程とを交互に実施しつつ、６日間〜７日間栽培して胚軸を成長させ、もやしを栽培する。【選択図】  図４
2008283887.tif 000002
【特許請求の範囲】
【請求項１】
種子に液体を吸収させる前処理工程と、遮光した室内で、前処理工程を経た種子から胚軸を成長させる栽培工程とを実施してもやしを製造する方法において、
前記栽培工程では、前記種子に液体を所定時間供給する給液工程と、適宜温度の風を種子に供給して当該種子を乾燥させる乾燥工程とを交互に実施することを特徴とするもやしの製造方法。
【請求項２】
前記前処理工程では、種子に液体を吸収させる第１吸液工程と、この種子を乾燥させる第１乾燥工程と、この種子に液体を吸収させる第２吸液工程と、この種子を乾燥させる第２乾燥工程とをこの順に実施する請求項１記載のもやしの製造方法。
【請求項３】
前記第２乾燥工程が実施された複数の種子について、その表面が濡れている種子とその表面が乾燥している種子とを選別し、前者の種子を除去する選別除去工程を更に実施する請求項２記載のもやしの製造方法。
【請求項４】
前記前処理工程では、前記第１吸液工程を実施するに先立って、次亜塩素酸を含む液体中に種子を浸漬させる工程を実施する請求項２又は３記載のもやしの製造方法。
【発明の詳細な説明】
【技術分野】
【０００１】
本発明は、もやしを製造する方法に関する。
【背景技術】
【０００２】
大豆もやし及び緑豆もやし等、種々のもやしが工場規模で製造されているが、落花生もやしにあっては工場規模での製造方法はまだ確立されていない。
【０００３】
一般的に緑豆もやし等にあっては、豆を熱湯中に短時間浸漬させて表面殺菌処理した後、３０℃程度の温水に４〜６時間浸漬させて芽出し処理を行う。なお、芽出し処理とは、豆に含水させて出芽の準備を開始させる処理であって、この状態で出芽は観察されない。
【０００４】
芽出し処理された複数の豆を、例えば縦１００ｃｍ×横１００ｃｍ×高さ１５０ｃｍ程度の網製キャリアに充填し、湿度が９０〜１００％に調製された遮光室内で７〜８日程度栽培することによって当該もやしを製造している。
【０００５】
しかし、かかる方法を落花生もやしの製造に適用した場合、落花生の発芽率が低い上に、室内での栽培中、豆の表面に糸状菌が繁殖し易いため、商品として販売することができる落花生もやしを得ることができなかった。
【０００６】
ところで、落花生もやしは、必須アミノ酸、ポリフェノール及び食物繊維等が他のもやしより多く含まれている一方、カロリーはもやしにする前の落花生の数分の一であることが報告されたことにより消費者のニーズが高まり、工場規模での製造方法の確立が要望されていた。
そのため、後述する特許文献１には次のような製造方法が開示されていた。
【０００７】
すなわち、硫酸鉄、硫酸第１マンガン、硫酸第１亜鉛、硫酸第１銅、硫酸第１コバルト、モリブデン酸アンモニウム、ホウ酸、及びクエン酸を水に溶解させて金属溶液を調製し、この金属溶液に落花生を２０℃にて１０時間浸漬させて前処理を行う。
【０００８】
一方、ゼラチンに前記金属溶液を所定量だけ加えてゼラチン培地を調製しておき、前処理した落花生を下層ゼラチン培地上に播種した後、下層ゼラチン培地の上面及びそこに播種した落花生を上層ゼラチン培地で被覆し、５日程度栽培するのである。
【特許文献１】平成９年特許第２６９８７１９号公報
【発明の開示】
【発明が解決しようとする課題】
【０００９】
しかしながら、このような製造方法にあっては、金属溶液及びゼラチンを用いるためコストが嵩む上に、ゼラチン培地の取り扱いに困難を伴い、更に栽培中、糸状菌・細菌等の微生物によってゼラチン培地が腐敗することを防止できないため、工場規模での実用化に適用することはできなかった。
【００１０】
本発明は、斯かる事情に鑑みたものであって、工場規模で実用化することができるもやしの新しい製造方法を提供する。
【課題を解決するための手段】
【００１１】
本発明者は、落花生が湿潤な状態が長時間続くことを好まないという性質を発見し、かかる性質をもやし製造に利用することにより本発明を完成した。
すなわち、（１）  種子に液体を吸収させる前処理工程と、遮光した室内で、前処理工程を経た種子から胚軸を成長させる栽培工程とを実施してもやしを製造する方法において、前記栽培工程では、前記種子に液体を所定時間供給する給液工程と、適宜温度の風を種子に供給して当該種子を乾燥させる乾燥工程とを交互に実施することを特徴とする。
【００１２】
胚軸の成長には水分が必要であるが、この水分を供給すべく、種子に液体を所定時間供給する給液工程を実施した後、湿潤な状態を解消すべく、適宜温度の風を種子に供給して当該種子を乾燥させる乾燥工程を実施する。このように種子に十分量の水分を供給する一方、湿潤な状態が長時間続くことを回避することによって、湿潤な状態が長時間続くことを好まない性質を備える種子であっても、生育障害を招来することなく胚軸を成長させることができる。
【００１３】
ところで、種子に供給する液体としては水道水でもよいが、地下水の方がミネラルの含有量が多いため好適である。このように、金属成分等を溶解させた高価な液体、及びゼラチン培地等を用いることなく、地下水等の水を種子に供給することによって、もやしを製造することができるため、工場規模で実用化することができる。
【００１４】
ここで、液体の供給方法としては、種子の上からシャワー状に散布することが好ましい。これによって、栽培中の種子の表面に付着した糸状菌胞子及び細菌等を洗い落とすことができ、それら微生物による害を防止することができる。
【００１５】
また、液体の温度は栽培する種子が好む温度であればよい。例えば、落花生では２７℃程度である。
種子に供給する風の温度も、栽培する種子が好む温度であればよい。例えば、落花生では２７℃程度である。
【００１６】
また、このように種子に風を供給して当該種子を乾燥させるため、複数の種子が重層されている場合であっても、各種子を確実に乾燥させることができる。
また、（２）  前記前処理工程では、種子に液体を吸収させる第１吸液工程と、この種子を乾燥させる第１乾燥工程と、この種子に液体を吸収させる第２吸液工程と、この種子を乾燥させる第２乾燥工程とをこの順に実施することも特徴とする。
【００１７】
種子に水分を吸収させる前処理工程においても、吸液工程と乾燥工程とを少なくとも２回（それぞれ第１吸液工程及び第１乾燥工程、第２吸液工程及び第２乾燥工程）繰り返す。
【００１８】
このように種子に水分を吸収させる一方、湿潤な状態が長時間続くことを回避することによって、湿潤な状態が長時間続くことを好まない性質を備える種子であっても、順調に発芽させることができる。
【００１９】
発芽段階にあっては種子内に呼吸熱が発生するので、当該種子を水が無い雰囲気内に放置するだけで、当該種子の表面が乾燥する。このように外部エネルギを加えることなく、乾燥工程を実施することができるため、製造コストの上昇を可及的に廉価にすることができる。
【００２０】
一方、このような第１吸液工程及び第１乾燥工程、第２吸液工程及び第２乾燥工程は向上規模であっても容易に実施することができる。
一方、（３）  前記第２乾燥工程が実施された複数の種子について、その表面が濡れている種子とその表面が乾燥している種子とを選別し、前者の種子を除去する選別除去工程を更に実施することを特徴とする。
所謂生きている種子は当該種子の表面が前述した呼吸熱によって乾燥している一方、所謂死んだ種子の表面は濡れているため、両者を容易に判別することができる。
【００２１】
そこで、前述した第２乾燥工程が実施された複数の種子を栽培するのに先立って、全体的に表面が濡れている種子を選別して除去する。これによって、所謂死んだ種子を除去して、所謂生きている種子を栽培することができるため、栽培中の複数の種子の発芽率を向上させることができ、もやしの生産性が向上する。
また、（４）  前記前処理工程では、前記第１吸液工程を実施するに先立って、次亜塩素酸を含む液体中に種子を浸漬させる工程を実施することを特徴とする。
【００２２】
種子を次亜塩素酸を含む液体中に浸漬させた場合、胚を無傷の状態で種皮を化学的に傷付ける効果を得ることができるので、かかる種子に水分を吸収させた場合、次亜塩素酸で処理していない種子より短い時間で所要の水分を吸収することでき、従って第１吸液工程及び第２吸液工程を可及的に短い時間に設定することができる。これによって、種子を湿潤な状態になす時間を可及的に短くすることができ、湿潤な状態が長時間続くことを好まない性質を備える種子にとって、より好適な環境を形成することができる。
また、種皮を化学的に傷付けるため、当該種子に水分の吸収を確実に行わせることができ、発芽率が向上する。
【００２３】
一方、土中で形成される種子にあっては、気中で形成される種子より多くの細菌・胞子等が付着しているが、次亜塩素酸を含む液体中に種子を浸漬させる工程を実施することによって、それら細菌・胞子等を確実に除去・死滅させることができる。
【発明を実施するための最良の形態】
【００２４】
（本発明の実施形態）
本発明に係るもやしの製造方法は主に、豆を洗浄・殺菌して出芽させる前処理工程と、出芽させた豆を遮光した室内で栽培する栽培工程とから構成される。
なお、本実施の形態では、時間及び温度等の各処理条件は種子として落花生に適用した場合について示してある。
【００２５】
図１から図３は、前処理工程を説明する説明図であり、図中、１は網製の籠である。
図１（ａ）に示したように、適宜量の生の落花生Ｓ，Ｓ，…を籠１内に投入する。この
籠１を、図１（ｂ）に示したように、殺菌能を備えた処理水４を貯留させた水槽２内に嵌入させて、籠１内の落花生Ｓ，Ｓ，…を処理液３中に浸漬させ、処理液３によって落花生Ｓ，Ｓ，…の種皮表面を洗浄・殺菌処理した後、処理液３中に１０分間程度保持して落花生Ｓ，Ｓ，…の種皮と胚乳との間の領域をも殺菌処理する。
【００２６】
ここで処理水３としては、例えば、次亜塩素酸ナトリウムを有効塩素濃度が１％程度になるように水に溶解させた水溶液に乳酸又は酢酸等を添加して、ｐＨ３〜ｐＨ５に調整したものを用いることができる。
【００２７】
このような次亜塩素酸を含む処理液３で落花生Ｓを処理した場合、殺菌効果に加えて、胚を無傷の状態で種皮を化学的に傷付ける効果を得ることができ、これによって発芽率を向上させることができる。
【００２８】
前記処理液３で処理した落花生Ｓに水分を吸収させた場合、処理液３で処理していない落花生Ｓより短い時間で所要の水分を吸収することできるため、落花生Ｓを湿潤な状態になす時間を可及的に短くすることができ、湿潤な状態が長時間続くことを好まない性質を備える落花生Ｓにとって、より好適な環境を形成することができる。
一方、処理液３中の塩素濃度は非常に低いため、後述する洗浄操作によって落花生Ｓからそこに残留することなく容易・確実に除去することができる。
【００２９】
次に、図１（ｃ）に示したように、水槽２から籠１を取り出して落花生Ｓ，Ｓ，…から処理液３を水切りした後、この籠１を、図１（ｄ）に示したように、水道水又は井水等の洗浄液４を貯留させた水槽２内に投入して落花生Ｓ，Ｓ，…を洗浄液４に浸漬・洗浄し、落花生Ｓ，Ｓ，…に残留する塩素成分を除去する。
【００３０】
そして、図１（ｅ）に示したように、水槽２から籠１を取り出して落花生Ｓ，Ｓ，…から洗浄液４を水切りした後、この籠１を、図１（ｆ）に示したように、３０℃〜４０℃程度の浸漬液５を貯留させた水槽２内に投入して落花生Ｓ，Ｓ，…を浸漬液５に２時間〜４時間程度、１次浸漬させ、落花生Ｓ，Ｓ，…に水分を取り込ませる。
【００３１】
ここで、浸漬液５としては、ミネラルの含有量が多い地下水を用いた場合、もやしの生育が良好であるので好適である。なお、地下水以外にも、適宜の金属塩を水に溶解させた液体を用いてもよいことはいうまでもない。
【００３２】
次に、図２（ｇ）に示したように、水槽２から籠１を取り出して落花生Ｓ，Ｓ，…から浸漬液５を水切りした後、この籠１を、図２（ｈ）に示したように、室１０内へ搬入し、室温で１２時間程度放置する。
【００３３】
このとき、含水した落花生Ｓ，Ｓ，…の内部では発芽が開始されており、それに伴って呼吸熱が発生し、この呼吸熱によって落花生Ｓ，Ｓ，…の表面から水分が蒸発して当該表面が乾燥する。これによって、湿潤な状態が長時間続くことを好まない落花生Ｓ，Ｓ，…にとって好ましい生育環境が形成され、落花生Ｓ，Ｓ，…の生育が促進される。また、落花生Ｓ，Ｓ，…が乾燥するため、糸状菌等の微生物の発生も防止することができる。一方、表面の乾燥によって、前述した種皮の傷が拡大し、種皮を突き破って成長する胚軸の出芽が更に円滑に行われる。
【００３４】
室１０から搬出した籠１を、図２（ｉ）に示したように、再び３０℃〜４０℃程度の浸漬液５を貯留させた水槽２内に投入して落花生Ｓ，Ｓ，…を浸漬液５に１時間程度、２次浸漬させ、落花生Ｓ，Ｓ，…に更に水分を取り込ませる。
【００３５】
これら１次浸漬及び２次浸漬によって、落花生Ｓは当初の質量の略１．５倍の質量になる。なお、発明者は、種々検討した結果、落花生Ｓにあっては含水によって当初の質量の略１．５倍の質量になったとき、発芽が良好に行われるという知見を得ており、１次浸漬及び２次浸漬の各時間は前記した各時間に限らず、両浸漬後の落花生Ｓの質量が、浸漬前の当初質量の略１．５倍になるように調整すればよい。
【００３６】
２次浸漬が終了すると、図２（ｊ）に示したように、水槽２から籠１を取り出して落花生Ｓ，Ｓ，…から浸漬液５を水切りした後、前同様この籠１を、図３（ｋ）に示したように、室１０内へ搬入し、室温で５時間程度放置する。
【００３７】
このとき、落花生Ｓ，Ｓ，…は出芽し、それに伴う呼吸熱によって前同様、落花生Ｓ，Ｓ，…の表面から水分が蒸発して当該表面が乾燥する。これによって、前同様、落花生Ｓ，Ｓ，…にとって好ましい生育環境が形成されるため、落花生Ｓ，Ｓ，…の出芽が促進され、胚軸が５ｍｍ程度まで成長する。
【００３８】
一方、所謂死豆たる発芽しない落花生Ｓ，Ｓ，…が混在しているが、そのような落花生Ｓ，Ｓ，…は呼吸熱を生じないため、表面が乾燥せずに濡れた状態のままで存在している。
このようにして出芽させた落花生Ｓ，Ｓ，…を、図３（ｌ）に示したように、複数の皿状の栽培用容器６，６，…上に敷き詰める。
【００３９】
このとき、出芽による胚軸が観察されない落花生Ｓ，Ｓ，…が混在している場合があり、かかる落花生Ｓ，Ｓ，…はそのままでは所謂死豆が生豆かを判別することができない。しかし、本発明に係る方法にあっては、前述した如く、所謂生豆の落花生Ｓ，Ｓ，…は当該落花生Ｓ，Ｓ，…の表面が呼吸熱によって乾燥している一方、所謂死豆の落花生Ｓ，Ｓ，…の表面は濡れているため、両者を容易に判別することができる。
【００４０】
そこで、出芽させた落花生Ｓ，Ｓ，…を各栽培用容器６，６，…上に播種するに先立って、又は播種した後に、全体的に表面が濡れている落花生Ｓ，  Ｓ…を選別して廃棄する。これによって、所謂死豆の落花生Ｓ，Ｓ，…を除去して、各栽培用容器６，６，…上にある落花生Ｓ，Ｓ，…の発芽率を向上させることができるため、もやしの生産性が向上する。
【００４１】
ところで、前述した栽培用容器６としては、例えば、縦８０ｃｍ×横６０ｃｍ程度のステンレス製のプレート７の周縁を立ち上げて、落花生Ｓ，Ｓ，…の厚さ寸法より低い高さ寸法の枠部８を設けて播種された落花生Ｓ，Ｓ，…の転落を防止するとともに、前記プレート７に直径が２ｍｍ〜４ｍｍ程度の複数の細孔９，９，…を所定間隔を隔てて開設（例えば２万個程度）したものを用いることができる。このサイズの栽培用容器６を用いた場合、２．５ｋｇ程度の落花生Ｓ，Ｓ，…を播種することができる。
【００４２】
図４は、室でもやしを栽培している状態を示す模式的斜視図であり、図中、１０は遮光された室である。この図４を用いて、もやしの栽培工程説明する。
室１０は、横に長い直方体状をなしており、奥行き方向の適宜位置に設けた隔壁４０によってもやしを栽培する栽培室３０と、この栽培室３０より狭く、栽培室３０内の雰囲気を調整するための調整室２０とに分けられている。
【００４３】
調整室２０内には、室１０内を所要の温度に調整するための温度調整器２２、及び二酸化炭素ガスを発生させるべく、例えばガスバーナを内蔵するガス発生器２３が設置してあり、また、調整室２０の前記隔壁４０とは異なる壁に設けた開口にはファン２１が取り付けてある。なお、このファン２１を設けた開口は図示しないシャッタによって閉止し得るようになっている。
【００４４】
前述した隔壁４０であって相対的に高い位置にある２隅の内の一方の近傍、及びこれと対角線上に位置する低位の隅の近傍には、それぞれ開口が設けてあり、高位の開口には調整室２０の雰囲気を栽培室３０内へ導入するための吸気用ファン４１が、低位の開口には栽培室３０内の雰囲気を調整室２０へ排出するための排気用ファン４２が取り付けてある。
【００４５】
このように、高位隅部の開口に吸気用ファン４１が設けてあり、これと対向線上にある低位の隅部の開口に排気用ファン４２が設けてあるため、栽培室３０内全体に効率良く気流を形成することができる。
一方、栽培室３０には前述した複数の栽培用容器６，６，…が複数のキャリア５０，５０，…上にそれぞれ積層された様態で搬入されている。
【００４６】
キャリア５０は、栽培用容器６を担持する矩形環状の底枠部の四辺にそれぞれ倒立Ｕ字状の縦枠部を立設してなり、前記底枠部の裏面には複数の移動用車が回転自在に設けてある。このキャリア５０の前記各縦枠部で囲まれる領域内に栽培用容器６，６，…を、１０段程度積層するように挿入してあり、下段の栽培用容器６に播種された落花生には、これに当接した上段の栽培用容器６から適当な質量が負荷されるようになっている。
【００４７】
なお、最上段の栽培用容器６は重しの役割として用いるため、落花生は播種されていない。
また、栽培室３０の天井近傍には、栽培室３０の幅と略同じ長さの散水機３１が栽培室３０の奥行き方向へ往復移動可能に配置してあり、該散水機３１に連結させた管部材３２によって、散水機３１内に温度調整された水が供給されるようになっている。散水機３１の底部には、その長手方向に適宜の間隔で配設した複数の散水部が設けてあり、散水機３１は、栽培室３０の一側から他側へ適宜の速度で移動しつつ、各散水部からシャワー状の散水を行うようになっている。
【００４８】
次に、このような室１０でもやしを栽培する方法について説明する。
前述したように、最上段を除いてそれぞれ適量の落花生を敷き詰めた栽培用容器６，６，…を１０段程度積層させた複数のキャリア５０，５０，…を栽培室３０内の適宜位置に配置させておく。一方、温度調整器２２を作動させておくとともに、吸気用ファン４１及び排気用ファン４２を作動させて調整室２０の雰囲気を栽培室３０に循環させて、栽培室３０の温度を２７℃〜３０℃に保持しておく。
【００４９】
そして、吸気用ファン４１及び排気用ファン４２を停止させる一方、散水機３１を作動させて、栽培室３０の一側から他側へ４０ｃｍ〜５０ｃｍ／分程度の速度で移動させつつ、散水機３１の各散水部から２７℃程度の温水を、総量で１５０ｌ（リットル）／分程度の水量で各キャリア５０，５０，…内の栽培用容器６，６，…上へシャワー状に散水させる。
【００５０】
散水機３１は、他側の所定位置に達すると散水を停止して移動開始位置へ復帰する。
このとき、散水機３１が移動しつつ散水するため、各キャリア５０，５０，…内の栽培用容器６，６，…上へ略均一に散水される。このように散布された水は、上段の栽培用容器６，６，…に開設した複数の細孔から略シャワー状に下段の栽培用容器６，６，…に播種された落花生上に落下し、当該落花生に水分を供給するとともに落花生の表面に付着した胞子・細菌等を洗い落としながら、更に下段の栽培用容器６，６，…へ落下する。
このように散水によって、落花生の表面に付着した胞子・細菌等を洗い落とされるため、落花生の表面で胞子・細菌等が繁殖することが防止され、各落花生の胚軸が健全に成長する。
【００５１】
散水が終了すると、再び吸気用ファン４１及び排気用ファン４２を作動させて、調整室２０で温度を調整した風を栽培室３０内の上位領域から下位領域へ循環させ、各栽培用容器６，６，…内で栽培されている落花生を乾燥させる。この乾燥工程は４時間〜５時間程度行う。
【００５２】
胚軸の成長には水分が必要であるが、この水分を供給すべく、落花生に液体を所定時間供給する給液工程を実施した後、湿潤な状態を解消すべく、適宜温度の風を落花生に供給して当該落花生を乾燥させる乾燥工程を実施する。このように落花生に十分量の水分を供給する一方、湿潤な状態が長時間続くことを回避することによって、湿潤な状態が長時間続くことを好まない性質を備える落花生であっても、生育障害を招来することなく胚軸を成長させることができる。
【００５３】
この乾燥工程の開始時から１０分間程度、ガス発生器２３を作動させて二酸化炭素ガスを発生させ、発生させた二酸化炭素ガスを栽培室３０内へ導入する。
これによって、胚軸の成長を促し、相対的に直径が大きいもやしを得ることができる。
【００５４】
散水を再び開始するときの２０分〜３０分前のタイミングで調整室３０に設けたファン２１を作動させて、調整室２０及び栽培室３０内の二酸化炭素ガスを排気した後、散水機３１を作動させて前同様に散水を行う。
このように、栽培室３０から二酸化炭素ガスを排気した後に散水を実施するため、散布される水に二酸化炭素ガスが溶解混入して、落花生に必要以上に供給されることを回避することができる。
そして、このような散水工程と乾燥工程とを交互に実施しつつ、６日間〜７日間栽培して胚軸を成長させ、もやしを得る。
【００５５】
なお、二酸化炭素ガスの栽培室３０への導入は、１日につき２回程度、すなわち略１２時間おきに実施する。
胚軸は水が流れる方向へ成長する性質を有するので、栽培用容器６，６，…に開設した細孔内へ伸長して、その位置から胚乳がずれるのを防止する。一方、前述したように、各胚乳には上段の栽培用容器６から適宜の負荷が印加されており、これによって土中環境と類似する環境が形成されている。そのため、胚軸は前記負荷に抗して胚乳を略真上方向へ持ち上げるように成長し、湾曲・ひねり等の少ない、良好な形状のもやしを効率的に得ることができる。
【００５６】
このようにして栽培したもやしは、栽培用容器６，６，…から取り出して、図示しない洗浄槽で洗浄し、水切りを行った後に、計量、袋詰めして製品とする。
なお、本実施の形態では、落花生について説明したが、うずら豆及びインゲン豆等、他の食用種子に適用した場合であっても、同様に良好な形状のもやしを得ることができた。
【図面の簡単な説明】
【００５７】
【図１】前処理工程を説明する説明図である。
【図２】前処理工程を説明する説明図である。
【図３】前処理工程を説明する説明図である。
【図４】室でもやしを栽培している状態を示す模式的斜視図である。
【符号の説明】
【００５８】
１  籠
２  水槽
３  処理液
４  洗浄液
５  浸漬液
６  栽培用容器
７  プレート
８  枠部
９  細孔
１０  室
２０  調整室
２１  栽培室
２２  温度調整器
２３  ガス発生器
３０  栽培室
３１  散水機
４０  隔壁
４１  吸気用ファン
４２  排気用ファン
５０  キャリア
Ｓ  落花生（種子）
【図１】
2008283887.tif 000003
【図２】
2008283887.tif 000004
【図３】
2008283887.tif 000005
【図４】
2008283887.tif 000006